(57)【要約】【課題】フォルダ内の複数の画像ファイルを、いくつかのシーン毎に小分けし、管理することを課題とする。【解決手段】ショートカット１（２）から、写真（４）から写真（７）の複数の写真で構成される写真グループ（１２）を管理するプログラムを呼べるようにし、ショートカット２（３）から、写真（８）から写真（１１）の複数の写真で構成される写真グループ（１３）を管理するプログラムを呼べるようにする。【選択図】図２
2013061924.tif 000002
【特許請求の範囲】
【請求項１】
画像データの保管管理を行う画像ファイリング方法において、新しい画像ファイルの追加は、任意の文字列と一意に増加する数字の連番部からなるファイル名の命名規則によって行われる、新しいまとまった画像ファイルを追加する操作の開始など、ところどころに先のファイル名の命名規則によって作成されるショートカットが置かれる、このショートカットに関連付けられているプログラムは、このショートカットの名前から、このショートカットから、次のショートカットまでの間にある画像ファイルを対象とし、次のショートカットが無い場合は、このショートカットから、末尾の画像ファイルまでの画像ファイルを対象とする、この対象とする画像ファイルに対し、削除、あるいは、他のフォルダに移動するなどのファイル操作を行うことを特徴とするファイル管理方式。
【発明の詳細な説明】
【技術分野】
【０００１】  本発明は、複数の画像ファイルの管理に関する。
【背景技術】
【０００２】  デジタルスチルカメラで撮影した画像データは、ファイル名の一部に連番の数字を置き、過去から未来へ、撮影の順番となるような複数の画像ファイルが作成される。
【発明の開示】
【発明が解決しようとする課題】
【０００３】  また、動画の要所要所をキャプチャーした画像ファイルも同様に、ファイル名に画像ファイルの順番の意味を持たせたものがある。
この複数の画像ファイルに旅行先などの題名をつけ意味のあるものにするのがフォルダであるが、このフォルダの中でも、ここからここまでは、車の中でのシーン、ここからここまでは、観光名所を背景としたシーンというように、小分けが出来るようなファイルの管理方法が必要とされている。
本発明では、フォルダ内でのいくつかのシーン毎に、小分けし、管理することを課題とする。
【課題を解決するための手段】
【０００４】  本発明では、ショートカットと呼ばれる特定のプログラムを実行するのを定義したファイルを、小分けにしたファイルグループの先頭になるように、画像ファイル命名規則に則ったファイル名を付加し、このショートカットが実行するプログラムは、小分けにしたファイルグループを管理する【０００５】  第１図に於いて、ショートカットと呼ばれる特定のプログラムを実行するのを定義したファイルを、小分けにしたファイルグループの先頭になるように、画像ファイル命名規則に則ったファイル名を付加し、小分けにしたファイルグループが操作者に容易に識別できるようにする。
第１図のファイル構造を構築するのに時間軸が密接に関わっているので、時間の経過の順に過程を説明する。
ショートカット１（２）は、写真（４）を撮影するためにカメラの電源が投入されたときに、その準備処理の一環として作成される。
例えば、撮影シーンが車の中を撮影しているとして、時間の経過と共に、順番に、写真（４）、写真（５）、写真（６）と撮影し、写真（７）で車中のシーンの終わりとしてカメラの電源が切られる。
次に、観光地に着いたので写真（８）を撮影するためにカメラの電源が投入され、その準備処理の一環としてショートカット２（３）が作成される。
順番に、写真（８）、写真（９）、写真（１０）と撮影し、写真（１１）で観光地での撮影の終わりとしてカメラの電源が切られる。
作成された一連のファイルは、予め決められた先頭文字列（１７）に、連番を表し固定桁で空白は“０”で埋められた連番文字列（１８）が付与され、ファイルの種類によって決まった拡張子（１９）が付与されたファイル名が命名される。
この一連のファイルの順番は、第２図に示すファイル一覧を見るソフトウェアは、ファイル名の昇順が一般的で、デフォルトの設定になっているので、撮影順に一致する。【０００６】  第２図に於いて、ショートカット１（２）は、写真（４）から写真（７）の複数の写真で構成される写真グループ（１２）の左上端に配置され、ショートカット２（３）は、写真（８）から写真（１１）の複数の写真で構成される写真グループ（１３）の左上端に配置される。
ショートカット１（２）をダブルクリックすると、処理選択メニュー（１４）が開く。
処理選択メニュー（１４）で「フォルダ作成」を選択するとフォルダ作成画面（１５）が開く。
処理選択メニュー（１４）で「削除」を選択すると削除画面（１６）が開く。【０００７】  ショートカット１（２）のダブルクリックによって起動するプログラムは、ショートカット１（２）のファイル名から、写真グループ１（１２）のファイル一覧が求まり、そのファイル一覧を、フォルダ作成画面（１５）、削除画面（１６）が処理対象のファイルとして認識し、処理する。
第６図に於いて、ファイル一覧を作成するのに必要な連番ファイルの判定を説明する。
ステップ（Ｓ１０）は、選別する先頭文字列を変数ＰＲＥ２に代入する。
ステップ（Ｓ１１）は、引数として与えられるファイル名を変数ＦＮに代入し、変数ＦＮの先頭に付く数字以外の文字列を変数ＰＲＥに代入し、変数ＰＲＥに続く数字の文字列を変数ＮＵＭに代入する。
変数ＦＮのファイル拡張子を変数ＥＸＴに代入する。
ステップ（Ｓ１２）は、変数ＥＸＴと、文字列“ＪＰＧ”を比較し、一致しなければ、「偽」と判定（Ｓ１６）し、これを呼び出したプログラムに返す。
ステップ（Ｓ１３）は、変数ＮＵＭに数字の文字が無ければ、「偽」と判定（Ｓ１６）し、これを呼び出したプログラムに返す。
ステップ（Ｓ１４）は、変数ＰＲＥと変数ＰＲＥ２を比較し、一致しなければ、「偽」と判定（Ｓ１６）し、これを呼び出したプログラムに返す。
ステップ（Ｓ１５）は、「真」と判定し、これを呼び出したプログラムに返す。【０００８】  第７図に於いて、ショートカットに関連付けられているファイルの一覧を作成する処理を説明する。
ステップ（Ｓ２０）は、ショートカットの収納されているフォルダを調べ、変数ＤＮに代入し、ショートカットのファイル名を変数ＳＮに代入する。
ステップ（Ｓ２１）は、フォルダ内のファイルを調べ、ファイル一覧を作成する。
ステップ（Ｓ２２）は、ファイル一覧をファイル名の昇順でソートする。
ステップ（Ｓ２３）は、ファイル一覧から変数ＳＮをキーとする検索を行い、見つかった位置を変数ＳＴに代入し、変数ＳＴを変数Ｉに代入し、変数ＣＮＴに０を代入する。
ステップ（Ｓ２４）は、変数Ｉに１を加え、ファイル一覧から変数Ｉの位置にあるファイル名を取り出す。
ステップ（Ｓ２５）は、取り出したファイル名を引数として図６の連番ファイルの判定を呼び出し、結果が「真」であれば、ステップ（Ｓ２６）へ分岐し、結果が「偽」であれば、ステップ（Ｓ２７）に分岐する。
ステップ（Ｓ２６）は、変数ＣＮＴに１を加え、ステップ（Ｓ２４）に戻る。
ステップ（Ｓ２７）は、ファイル一覧の、変数ＳＴに１を加えた位置から、変数Ｉから１を引いた位置までを、ショートカットに関連付けられているファイルの一覧とする。
以上の処理によって、ショートカット１（２）をダブルクリックしたときは、写真グループ１（１２）が選択され、ショートカット２（３）をダブルクリックしたときは、写真グループ１（１３）が選択される。
【発明の効果】
【０００９】  本発明で、フォルダ内にある複数の写真の小分けが簡単に出来、処理選択メニュー（１４）にスライドショウなどの様々なプログラムを加えることも出来て、柔軟性に富むファイル管理を実現するものである。
【発明を実施するための最良の形態】
【００１０】  コンピュータに、フォルダ操作画面（２０）のショートカット１（２）から呼ばれる、処理選択メニュー（１４）、フォルダ作成画面（１５）、削除画面（１６）を処理するプログラムをインストールする。
ショートカット１（２）は、デジタル・スチル・カメラに内蔵されるプログラムで自動生成するか、デジタル・スチル・カメラからコンピュータに写真を転送するプログラムが追加する。
ショートカット１（２）を、ユーティリティプログラムで、任意に追加、削除するようにする。
ショートカットのかわりに、任意の文字列を拡張子とするファイルの関連付けの機能を使っても同様の機能を実現できる。
【図面の簡単な説明】
【００１１】
【図１】ファイルの階層構造を示す図である。
【図２】フォルダ操作画面の図である。
【図３】処理選択メニュー画面の図である。
【図４】フォルダ作成画面の図である。
【図５】削除画面の図である。
【図６】連番ファイルを判定するフローチャートである。
【図７】ショートカットに関連付けられているファイルの一覧を作成するフローチャートである。
【図８】ファイル名の例を示す図である。
【符号の説明】
【００１２】１  フォルダ                      ２  ショートカット１
３  ショートカット２              ４〜１１  写真
１２  写真グループ１              １３  写真グループ２
１４  処理選択メニュー            １５  フォルダ作成画面
１６  削除画面                    １７  先頭文字列
１８  連番文字列                  １９  拡張子
２０  フォルダ操作画面
【図１】
2013061924.tif 000003
【図２】
2013061924.tif 000004
【図３】
2013061924.tif 000005
【図４】
2013061924.tif 000006
【図５】
2013061924.tif 000007
【図６】
2013061924.tif 000008
【図７】
2013061924.tif 000009
【図８】
2013061924.tif 000010